(57)【要約】【課題】本発明は、第１に、非常時においた迅速かつ確実な避難が可能であり、第２に、平常時において経済的効果が見込み得る避難用構造物を提供する。【解決手段】平常時に特定用途の屋外施設ＩＳとして利用されると共に、津波を含む非常時に避難場所として利用される避難用構造物１０であって、屋外施設のランドと避難場所のフロアとを兼ねる基盤部１１と、来襲した津波により、基盤部１１を浮上させるフロート部１３と、基盤部１１の浮上を案内する複数のガイド支柱１４と、を備えたものである。【選択図】図２
2018178635.tif 000002
【特許請求の範囲】
【請求項１】
津波の発生時に避難場所となる避難用構造物であって、
前記避難場所のフロアを構成する基盤部と、
来襲した前記津波により、前記基盤部を浮上させるフロート部と、
前記基盤部の浮上を案内する複数のガイド支柱と、を備えたことを特徴とする避難用構造物。
【請求項２】
平常時に特定用途の屋外施設として利用されると共に、津波を含む非常時に避難場所として利用される避難用構造物であって、
前記屋外施設のランドと前記避難場所のフロアとを兼ねる基盤部と、
来襲した前記津波により、前記基盤部を浮上させるフロート部と、
前記基盤部の浮上を案内する複数のガイド支柱と、を備えたことを特徴とする避難用構造物。
【請求項３】
前記屋外施設が、屋外型のイベント施設、屋外型のスポーツ施設、屋外型の遊戯施設および屋外型の駐車施設のいずれかであることを特徴とする請求項２に記載の避難用構造物。
【請求項４】
前記基盤部を支持する台座部を、更に備え、
前記フロート部は、前記台座部に組み込まれていることを特徴とする請求項１ないし３のいずれかに記載の避難用構造物。
【請求項５】
前記台座部は、前記複数のガイド支柱に対しスライド自在に係合する複数のガイド係合部を、有することを特徴とする請求項４に記載の避難用構造物。
【請求項６】
前記基盤部および前記台座部のいずれか一方から外方に張り出した波返し部を、更に備えたことを特徴とする請求項４または５に記載の避難用構造物。
【請求項７】
前記基盤部と地盤との間に設けられた複数のスロープを、更に備えたことを特徴とする請求項１ないし６のいずれかに記載の避難用構造物。
【請求項８】
前記基盤部の周縁部に設けられたフェンスを、更に備えたことを特徴とする請求項１ないし７のいずれかに記載の避難用構造物。
【請求項９】
前記フェンスは、前記基盤部に対し出没自在に構成された複数の部分フェンスを有することを特徴とする請求項８に記載の避難用構造物。
【請求項１０】
前記フロート部は、相互に連結された複数の部分フロートを有することを特徴とする請求項１ないし９のいずれかに記載の避難用構造物。
【請求項１１】
前記複数のガイド支柱を上端部で連結する横架材を、更に備えたことを特徴とする請求項１ないし１０のいずれかに記載の避難用構造物。
【発明の詳細な説明】
【技術分野】
【０００１】
本発明は、津波や洪水に際し避難所として用いられる避難用構造物に関する。
【背景技術】
【０００２】
従来、この種の避難用構造物として、津波発生時に避難所として用いられる津波避難用タワーが知られている（特許文献１参照）。
この津波避難用タワーは、鉄骨造の建築物であり、２階に相当する床面と３階に相当する床面とを有すると共に、地盤と２階との間および２階と３階との間に手すり付階段を有している。そして、２階に相当する床面を予想津波高さとしている。各床面には、手すり付階段に連なる出入り部と、出入り部を除く四周に安全柵が設けられている。さらに、３階には、人および資材を昇降させるウインチ等の巻上機が設けられており、地盤上の人および資材を直接３階に引き上げ得るようになっている。これにより、身障者や高齢者であっても容易に避難させることができる。
【先行技術文献】
【特許文献】
【０００３】
【特許文献１】特開２００６−８３５４９号公報
【発明の概要】
【発明が解決しようとする課題】
【０００４】
このような、従来の津波避難用タワーでは、避難者は、少なくとも５ｍ程度（２階）の高さまで避難することとなる。このため、身障者や高齢者の避難には人員と手間がかかり、迅速かつ確実な避難は不可能であった。すなわち、階段やスロープ、或いは巻上機を使うにしても、身障者や高齢者の５ｍの高さへの避難には、１人につき数人の手助けが必要となる。したがって、避難者のなかで身障者や高齢者に対し健常者の比率が十分に高くないと、迅速かつ確実な避難は不可能であった。このことは、高台等への避難も同様で、避難路、階段、手すり等を整備しても、実際の避難が円滑に行われる保証はない。
一方で、この種の避難施設は、津波発生時（緊急時）の避難所としてのみ用いられるものである。したがって、この種の施設の宿命でもあるが、非常時（緊急時）以外では全く経済的効果が見込めない無用な施設（建築物）であり、普及が進まない原因ともなっている。
【０００５】
本発明は、第１に、非常時においた迅速かつ確実な避難が可能であり、第２に、平常時において経済的効果が見込み得る避難用構造物を提供することを課題としている。
【課題を解決するための手段】
【０００６】
本発明の避難用構造物は、津波の発生時に避難場所となる避難用構造物であって、避難場所のフロアを構成する基盤部と、来襲した津波により、基盤部を浮上させるフロート部と、基盤部の浮上を案内する複数のガイド支柱と、を備えたことを特徴とする。
【０００７】
この構成によれば、津波が来襲すると、フロート部により避難場所となる基盤部が浮上する。このため、基盤部は、津波に高さに応じで上下するだけで水没することがなく、基盤部上の避難者の安全を図ることができる。また、基盤部の浮上が、複数のガイド支柱により案内されるため、浮上した基盤部が津波に乗って流されることがなく、この点でも基盤部上の避難者の安全を図ることができる。さらに、津波に対し基盤部が浮上する構造であるため、避難時の基盤部は低い位置に設けられていればよい。より好ましくは、来襲する津波の初期において波を被らない程度の高さであればよい。このため、基盤部の地盤からの高さを十分に低く抑えることができ、基盤部上への避難が容易であって迅速かつ確実に避難を行うことができる。なお、基盤部がフロート部に直接支持される「筏」様のものであってもよいし、基盤部が台座に支持され、この台座にフロート部が組み込まれたものであってもよい。
【０００８】
本発明の他の避難用構造物は、平常時に特定用途の屋外施設として利用されると共に、津波を含む非常時に避難場所として利用される避難用構造物であって、屋外施設のランドと避難場所のフロアとを兼ねる基盤部と、来襲した津波により、基盤部を浮上させるフロート部と、基盤部の浮上を案内する複数のガイド支柱と、を備えたことを特徴とする。
【０００９】
この構成によれば、津波を含む非常時おいて、避難場所としての機能を十分に果たし、且つ迅速かつ確実に避難を可能とする一方、平常時において、特定用途の施設として利用することができる。したがって、経済的効果が見込み得る施設として機能する避難場所を提供することができる。また、平常時の利用は、経済的効果が見込めるだけでなく、施設の利用そのものが避難訓練の一部ともなる。さらに、施設の日々の管理は、塩害等による老朽化等の抑制にもなる。なお、「屋外施設」の語は、日除け・雨除け等の簡易な屋根を有するもの含む概念である。また、「ランド」は、屋外施設を利用する人が活動するための盤面の総称として用いている。
【００１０】
この場合、屋外施設が、屋外型のイベント施設、屋外型のスポーツ施設、屋外型の遊戯施設および屋外型の駐車施設のいずれかであることが好ましい。
【００１１】
この構成によれば、身近に利用される施設が非常時（緊急時）の避難場所となるため、精神的にも避難を容易に行うことができ、いわゆる「オオカミ少年」的な事態を回避することができる。なお、屋外型のイベント施設としては、地盤から一段高いステージフロアを有するイベントステージ等が好適である。屋外型のスポーツ施設としては、適度な面積のコート（ランド）とフェンスとを有するテニスコート等が好適である。屋外型の遊戯施設としては、遊戯具等のある広場等が好適である。屋外型の駐車施設としては、２階建てまでの自走式の駐車場等が好適である。
【００１２】
また、基盤部を支持する台座部を、更に備え、フロート部は、台座部に組み込まれていることが好ましい。
【００１３】
この構成によれば、台座部により、避難場所のフロアとなる基盤部が安定に支持される。このため、フロート部が部分フロート集合体であっても、基盤部を安定に浮上させることができる。したがって、避難者をして、ストレスを感じさせることなく非難させることができる。なお、台座部に床下収納の形で、避難者用のライフジャケット等を装備しておくことが好ましい。
【００１４】
この場合、台座部は、複数のガイド支柱に対しスライド自在に係合する複数のガイド係合部を、有することが好ましい。
【００１５】
この構成によれば、津波による浮上に際し、基盤部を傾くことなく安定に上昇および下降させることができ、安心・安全な避難場所とすることができる。
【００１６】
これらの場合、基盤部および台座部のいずれか一方から外方に張り出した波返し部を、更に備えることが好ましい。
【００１７】
この構成によれば、浮上開始時や浮上時において、基盤部が津波で洗われるのを抑制することができ、安心・安全な避難場所とすることができる。
【００１８】
また、基盤部と地盤との間に設けられた複数のスロープを、更に備えることが好ましい。
【００１９】
この構成によれば、地盤に対し基盤部が低い位置にあるため、従来の避難場所に比して、身障者や高齢者の避難を極めて容易に行うことができる。特に、車いすでの避難を容易に行うことができる。
【００２０】
さらに、基盤部の周縁部に設けられたフェンスを、更に備えることが好ましい。  
【００２１】
この構成によれば、基盤部の面積に比して多くの避難者を収容することができると共に、安心・安全な避難場所とすることができる。
【００２２】
この場合、フェンスは、基盤部に対し出没自在に構成された複数の部分フェンスを有することが好ましい。
【００２３】
この構成によれば、平常時の施設の利用に際し、フェンスが邪魔になることがない。また、非常時には、避難者により、簡単且つ迅速にフェンスを構築することができる。
【００２４】
一方、フロート部は、相互に連結された複数の部分フロートを有することが好ましい。
【００２５】
この構成によれば、フロート部が大きくても施工を容易に行うことができる。また、津波に伴うガレキ等によりフロート部の一部が損傷しても、全体の浮力が極端に減ずることがない。なお、基盤部に機器、器具、食糧等の床下収納庫を設けることが好ましいが、この床下収納庫をＦＲＰ（繊維強化プラスチック）製とし、部分フロートの一部としてもよい。
【００２６】
また、複数のガイド支柱を上端部で連結する横架材を、更に備えることが好ましい。
【００２７】
この構成によれば、横架材により、複数のガイド支柱を、津波の水平波力に十分に耐え得るように強固に設置することができる。
【図面の簡単な説明】
【００２８】
【図１】第１実施形態に係る避難用構造物であって、イベントステージを兼ねる避難用構造物の平面図である。
【図２】イベントステージを兼ねる避難用構造物の正面から見た立面図である。
【図３】イベントステージを兼ねる避難用構造物の側面から見た立面図である。
【図４】浮上した避難用構造物の正面から見た立面図である。
【図５】浮上した避難用構造物の側面から見た立面図である。
【図６】第２実施形態に係る避難用構造物であって、テニスコートを兼ねる避難用構造物の平面図である。
【図７】テニスコートを兼ねる避難用構造物の正面から見た立面図である。
【発明を実施するための形態】
【００２９】
以下、添付の図面を参照して、本発明の一実施形態に係る避難用構造物について説明する。この避難用構造物は、津波に対し避難場所となる構造物であるが、平常時には、特定用途の屋外施設（イベントステージ、テニスコート等）として利用されるものである。したがって、構造物としては、避難場所ともなる屋外施設であるが、避難場所としての機能に技術的な意義があるため、以下、第１実施形態のイベントステージおよび第２実施形態のテニスコートのいずれについても、「避難用構造物」として説明を進める。
【００３０】
［第１実施形態］
第１実施形態は、避難用構造物を屋外型のイベントステージに適用したものである。
図１は避難用構造物の平面図、正面図（正面立面図）、図２は避難用構造物の正面図（正面立面図）、図３は避難用構造物の側面図（側面立面図）である。これらの図に示すように、避難用構造物１０（イベントステージＩＳ）は、イベントステージＩＳのフロア（ランド）と避難場所のフロアとを兼ねる基盤部１１と、基盤部１１を支持する台座部１２と、津波に対し基盤部１１および台座部１２を浮上させるフロート部１３と、基盤部１１および台座部１２の浮上を案内する複数（実施形態のものは、４本）のガイド支柱１４と、を備えている。そして、この基盤部１１、台座部１２およびフロート部１３により、イベントステージＩＳの主体となる、いわゆるステージＳが構成されている。
【００３１】
また、避難用構造物１０は、コンクリート製の基礎１６（ベタ基礎）と、ステージＳに三方から臨むように基礎１６上に設けた４箇所のステージステップ１７と、ステージＳの後方に設けたバックウォール１８と、バックウォール１８とステージＳとの間に設けたテラス１９と、を備えている。各ステージステップ１７は、地盤ＧとステージＳ（基盤部１１）との間において、横並びに配置した階段２１とスロープ２２とを有している。階段２１およびスロープ２２は、車いすの身障者や高齢者の昇降を考慮して緩い勾配に形成されている。バックウォール１８は、ステージＳ側の面にバックパネル２３を有し、鉄骨造や鉄筋コンクリート造で構築されている。そして、テラス１９には、特に図示しないが常用電源等の電源設備が設けられている。
【００３２】
基盤部１１は、耐候性の床材で構成されており、台座部１２に支持されている。台座部１２は、鋼材やアルミ材等を組んで構成され、１．０〜１．５ｍの高さ（厚み）を有している。この台座部１２の高さは、一般的なステージＳの高さであると共に、津波によりステージＳが浮上を開始するまでの間に、基盤部１１が波（津波）を被らない程度に設定されている。また、台座部１２（ステージＳ）の下部は、基礎１６に形成された浅いピット１６ａに納まっており、津波によりステージＳが浮上を開始するまでの間に津波から受ける水平波力を、ガイド支柱１４ではなく基礎１６で受け得るようになっている。
【００３３】
フロート部１３は、ステージＳ（基盤部１１および台座部１２）を浮上させる浮力を持たせた部分であり、台座部１２に組み込んだ複数の部分フロート２５で構成されている。図示では省略したが、台座部１２は、鋼材等により骨組みされると共に、外郭や隔板等で仕切られた複数のフロート用スペースを有している。そして、この複数のフロート用スペースには、それぞれ部分フロート２５が収容されている。
【００３４】
各部分フロート２５は、発泡スチロールや発泡ウレタン等の樹脂独立発泡体や注入型の樹脂独立発泡体で構成され、或いはＦＲＰ（繊維強化プラスチック）製のエアータンク等で構成されている。これにより、部分フロート２５は、水に触れても水を吸収することがなく、その浮力を維持する。そして、実施形態のフロート部１３は、基盤部１１が津波の水面より十分に高い位置に浮上するように設計されている（図４および図５参照）。なお、ステージＳには、津波に先立つ地震動を吸収する制振ゴム等の制振部材を組み込んでもよい。
【００３５】
図１ないし図３に示すように、ステージＳには、基盤部１１の四周を縁取るように波返し２７（波返し部）が設けられている。波返し２７は、例えば断面「Ｌ」字状の金属製或いは樹脂製の波返し片２８を、周方向に複数連ねて構成されている。各波返し片２８は、一方のリブ片が基盤部１１から外方に突出した状態で、他方のリブ片の部分で台座部１２に固定されている。来襲した津波は、ステージＳの蹴込みに衝突して上方に跳ね上がるが、跳ね上がった津波は波返し２７（一方のリブ片）により押し返される。これにより、基盤部１１の上面が津波で洗われるのを防止することができる。
【００３６】
なお、各波返し片２８の他方のリブ片を、ステージＳの下部まで延ばして、ステージＳのケコミパネルを構成するようにしてもよい。また、波返し２７にソーラーパネルを組み込み、夜間の避難に備えた常夜灯の電源としてもよい。さらに、各波返し片２８は、後述する部分フェンス３２の引上げ動作に連動して、外方に突出する構造のものであってもよい。
【００３７】
同様に、ステージＳの四周縁部には、基盤部１１に対し出没自在に構成されたフェンス３１が埋め込まれている。フェンス３１は、ステージＳの四周縁部に沿って連なる複数の部分フェンス３２で構成され、この部分フェンス３２が、基盤部１１に対し個々に出没自在に構成されている（図４および図５参照）。津波に備えて避難してきた避難者は、手分けして全ての部分フェンス３２を突出させ（引き出して）フェンス３１を構成し、ステージＳの浮上に備える。なお、言うまでもないが、部分フェンス３２は、下端部に設けたクリック等により引き上げた状態で固定される。
【００３８】
また、図１に示すように、ステージＳには、蓋付きの４つの収納庫３４（床下収納庫）と、マンホール付きの排水槽３５が組み込まれている。各収納庫３４および排水槽３５は、例えばＰＲＰ（繊維強化プラスチック）で構成されており、上述した部分フロート２５としても機能する。実施形態のものは、１の収納庫３４について２枚の蓋が設けられているが、収納庫３４の大きさおよび数、蓋の数や形態は、収納物により決定される。そして、収納庫３４の蓋および排水槽３５のマンホールは、水密性の高いものであることが好ましい。
【００３９】
第１収納庫３４Ａには、例えば小型発電機、バッテリー、照明器具、懐中電灯、通信機、携帯ラジオ等が収容されている。詳細は後述するが、４本のガイド支柱１４の上端部には横架材４１が掛け渡され、この横架材４１にはステージＳ用の照明が取り付けられている（図示省略）。小型発電機は、被災時に常用電源に代わって（切替えて）この照明の電源として機能する。第２収納庫３４Ｂには、非常食、飲料水、カセットコンロ等が収容されている。これにより、避難用構造物１０は、津波が去った後、或いは津波の発生に関係なく避難所としての機能を有している。
【００４０】
第３収納庫３４Ｃには、簡易組立てトイレ、トイレットペーパー、医薬品、衣類、その他の日用品等が収納されている。簡易組立てトイレは、マンホールに設置するタイプのものであり、組み立ててマンホールを外した排水槽３５上に設置する。第４収納庫３４Ｄには、ヘルメット、ライフジャケット、救命ロープ、救命ボート、発煙筒等が収容されている。ヘルメットおよびライフジャケットは、避難者がステージＳの浮上に備えて身に着ける。救命ロープおよび救命ボートは、逃げ遅れて津波に流されてゆく被災者等を救出するために用いられる。浮上するステージＳは、水面との高さが一定しており、この種の救出作業に適している。
【００４１】
一方、ステージＳの四隅には、台座部１２に支持するようにして、各ガイド支柱１４に対し上下方向にスライド可能に係合する４つのガイド係合部３７が設けられている。各ガイド係合部３７には、ガイド支柱１４を囲繞するスライドリング３８が装着されており、スライドリング３８は、わずかな間隙を存してガイド支柱１４にスライド自在に係合している。また、スライドリング３８は、防振ゴム等から成る防振部材で構成されている。これにより、各ガイド支柱１４との接点となる４つのスライドリング３８は、スライド部材として機能するだけでなく、地震動や津波によるステージＳの横揺れ等を吸収する。また、ステージＳの浮上時にステージＳ（台座部１２）が傾くことがあっても、防振部材で構成されスライドリング３８は、ガイド支柱１４との間の「かしぎ」を抑制する。
【００４２】
図１ないし図５に示すように、４本のガイド支柱１４は、ステージＳの四隅を貫通して上方に延びている。各ガイド支柱１４は、例えば杭地業に用いる鋼杭や既製鉄筋コンクリート杭で構成することが好ましく、実施形態ものは、鋼管杭（鋼杭の一種）で構成されている。各ガイド支柱１４の下部は、基礎１６を貫通して地盤Ｇに深く打ち込まれている。ガイド支柱１４の地盤Ｇへの打込み深さは、津波の水平波力や地盤Ｇの耐力を考慮して設計され、またガイド支柱１４の地盤Ｇからの高さは、想定される最大級の津波の高さを考慮して設計されている。すなわち、ガイド支柱１４の地盤Ｇからの高さは、想定される最大級の津波の高さを越えるものとなっている。
【００４３】
図１および図２に示すように、４本のガイド支柱１４の上端には、これらを矩形に連結する横架材４１が設けられている。横架材４１は、鋼材等で構成され、梁および桁の形態を為して４本のガイド支柱１４を相互に補強および位置決めしている。４本のガイド支柱１４は、下部を基礎１６および地盤Ｇに定着され且つ上端を横架材４１で連結されることにより、自身およびステージＳが受ける津波の水平波力に抗して、ステージＳの浮上（実際には、昇降動）を案内する（図４および図５参照）。
【００４４】
また、横架材４１は、ステージＳの浮上端位置を規制するストッパーとして機能し、ステージＳがガイド支柱１４から離脱（流出）するのを防止する。そして、図示しないが、横架材４１にはステージＳ用の照明等が取り付けられている。なお、ステージＳ上には、日除け・雨除けの簡単な屋根が設けられていてもよい。
【００４５】
ここで、避難用構造物１０における避難の手順について簡単に説明する。津波警報が発令されると、避難誘導のマニュアルに従って、周辺住民の避難用構造物１０への避難が開始される。避難の初期において、フェンス３１を引き出す者、ライフジャケットを準備する者および高齢者等の避難を手助けする者、に手分けして適宜作業を開始する。フェンス３１を引き出す作業者は、先ず４箇所のステージステップ１７が臨む部分を除き、部分フェンス３２を引き出してフェンス３１を確立してゆく。
【００４６】
ライフジャケットを準備する作業者は、第４収納庫３４Ｄからヘルメットおよびライフジャケットを取り出して、避難者に渡し装着を促す。避難を手助けする作業者は、ステージステップ１７の基部で避難者を待ち、ステージステップ１７を利用して順次、避難者をステージＳ上に運び上げる。そして、ステージステップ１７が臨む４箇所の部分フェンス３２は、津波の来襲を確認してから引き出すようにする。以降、避難者は浮上するステージＳに身を任せるが、無線機等により、常に役所との連絡を取り合う。
【００４７】
以上のように、第１実施形態の避難用構造物１０によれば、津波が来襲すると、フロート部１３より基盤部１１および台座部１２、すなわちステージＳ全体が浮上する。これにより、津波に対しステージＳ上の避難者を適切に避難させることができる。また、ステージＳの浮上が、４本のガイド支柱１４により案内されるため、ステージＳが津波に流されることがなく、避難者の安全を図ることができる。さらに、ステージＳ（基盤部１１）が地盤Ｇから比較的に低い位置にあるため、避難者のステージＳ上への避難を容易に行うことができる。特に、避難者が車いすの身障者や高齢者であっても、スロープ２２を利用することで、ステージＳ上への避難を迅速かつ確実に行うことができる。
【００４８】
一方、平常時における第１実施形態の避難用構造物１０は、イベントステージＩＳとして利用される。このため、この避難用構造物１０は、単なる避難専用の施設ではなく、施設の所有者をして経済的効果が見込み得る施設となる。したがって、施設建設の意義が高く、対象となる市町村において普及の一助となる。なお、ステージＳは、コストを抑えるべく、フロート部１３が台座部１２を兼ねる「筏」様のシンプルな形態であってもよい。
【００４９】
［第２実施形態］
次に、図６および図７を参照して、第２実施形態に係る避難用構造物５０について説明する。第２実施形態は、避難用構造物５０を屋外型のテニスコートＴＣに適用したものである。
図６および図７に示すように、この避難用構造物５０（テニスコートＴＣ）では、本来のメインコートＭＣ（線引きした部分）に、前後のバックコートＢＣおよび左右のサイドコートＳＣを加えたテニスコートＴＣの全域表面（ランド）が、避難場所のフロアとなる。
【００５０】
第１実施形態と同様に、第２実施形態の避難用構造物５０は、このテニスコートＴＣの盤面を兼ねる基盤部５１と、基盤部５１を支持する台座部５２と、津波に対し基盤部５１および台座部５２を浮上させるフロート部５３と、基盤部５１および台座部５２の浮上を案内する複数（実施形態のものは、１４本）のガイド支柱５４と、を備えている。そして、この基盤部５１、台座部５２およびフロート部５３により、浮上コートＣが構成されている。また、避難用構造物５０は、浮上コートＣの四周縁部に立設して高いコートフェンス５６を備えている。
【００５１】
浮上コートＣは、第１実施形態と同様に、コンクリート製の基礎５８（ベタ基礎）に支持されており、基礎５８には、地盤Ｇから浮上コートＣに上るための１０箇所の連絡通路５９が設けられている。各連絡通路５９は、横並びに配置した階段６１とスロープ６２とから成り、１０箇所の連絡通路５９は、前後のバックコートＢＣに面して２箇所ずつ、および左右のサイドコートＳＣに面して３箇所ずつ配設されている。この場合も、階段６１およびスロープ６２は、車いすの身障者や高齢者の昇降を考慮して緩い勾配に形成されている。
【００５２】
コートフェンス５６は、１０箇所の連絡通路５９に臨む１０箇所の開閉フェンス部６４と、それ以外の固定フェンス部６５と、を連ねて構成されている。各開閉フェンス部６４は、外開き（観音開き）の形式で開閉可能に構成されており、１０箇所の開閉フェンス部６４のうち２〜３箇所の開閉フェンス部６４を、平常時の出入り口として使用する。
【００５３】
第１実施形態と同様に、基盤部５１はコート材で構成されており、台座部５２に支持されている。台座部５２は、鋼材やアルミ材等を組んで構成され、１．０〜１．５ｍの高さ（厚み）を有している。また、台座部５２（浮上コートＣ）の下部は、基礎５８に形成された浅いピット５８ａに納まっている。この場合も、フロート部５３は、台座部５２に組み込んだ複数の部分フロート６７で構成されている。
【００５４】
台座部５２は、基盤部５１を直接支持する台座部本体７１と、台座部本体７１から外方に突設し、１４本のガイド支柱５４と係合する１４箇所の支柱係合部７２（ガイド係合部）と、を有している。各支柱係合部７２は、ガイド支柱５４を囲繞するスライドリング７３と、スライドリング７３を保持するリング保持部７４とで構成されている。スライドリング７３は、わずかな間隙を存してガイド支柱５４にスライド自在に係合しており、第１実施形態と同様に、防振ゴム等から成る防振部材で構成されている。なお、この場合も、台座部５２には波返し（図示省略）を設けることが好ましい。
【００５５】
図６および図７に示すように、１４本のガイド支柱５４は、前後のバックコートＢＣに面してそれぞれ３本ずつ、および左右のサイドコートＳＣに面してそれぞれ４本ずつ配設されている。各ガイド支柱５４は、第１実施形態と同様に、鋼管杭（鋼杭の一種）で構成されている。この場合も、ガイド支柱５４の地盤Ｇからの高さは、想定される最大級の津波の高さを越えるものとなっている。また、１４本のガイド支柱５４の上端には、これらを矩形に連結する横架材７６が設けられている。
【００５６】
横架材７６は、浮上コートＣの浮上端位置を規制するストッパーとして機能し、浮上コートＣがガイド支柱５４から離脱（流出）するのを防止する。そして、図示しないが、横架材７６にはナイター用の照明等が取り付けられている。また、この場合も、浮上コートＣに床下型の或いは物置型の収納庫を設けることが好ましい。
【００５７】
以上のように、第２実施形態の避難用構造物５０によれば、津波が来襲すると、フロート部５３より基盤部５１および台座部５２、すなわち浮上コートＣ全体が、１４本のガイド支柱５４により案内されて浮上する。これにより、津波に対し浮上コートＣ上の避難者を適切に避難させ、避難者の安全を図ることができる。また、避難者は、スロープ６２を利用することで、低い位置にある浮上コートＣ上への避難を容易に行うことができる。
【００５８】
一方、平常時における第２実施形態の避難用構造物５０は、テニスコートＴＣとして利用される。このため、この避難用構造物５０は、単なる避難専用の施設ではなく、施設の所有者をして経済的効果が見込み得る施設となる。したがって、施設建設の意義が高く、対象となる市町村において普及の一助となる。
【００５９】
なお、これらの実施形態においては、避難用構造物１０，５０がそれぞれイベントステージＩＳおよびテニスコートＴＣを兼ねているが、その他の屋外施設として、各種イベント施設、各種スポーツ施設、各種遊戯施設および各種駐車施設等を兼ねる構成であってもよい。
【００６０】
もっとも、避難用構造物１０，５０を津波（加えて洪水や高波）対策専用の構造物としてもよい。例えば、避難用構造物１０では、バックウォール１８やテラス１９すると共に、フェンス３１を固定部分と出入口部分との構成とし、非常時に出入口部分を開放する。このような構成では、経済的効果は見込めないが、避難については迅速かつ確実に行うことができる。
【符号の説明】
【００６１】
１０…避難用構造物、１１…基盤部、１２…台座部、１３…フロート部、１４…ガイド支柱、１７…ステージステップ、２２…スロープ、２５…部分フロート、２７…波返し、２８…波返し片、３１…フェンス、３２…部分フェンス、３７…ガイド係合部、４１…横架材、５０…避難用構造物、５１…基盤部、５２…台座部、５３…フロート部、５４…ガイド支柱、５６…コートフェンス、５９…連絡通路、６２…スロープ、６７…部分フロート、７１…台座部本体、７２…支柱係合部、７６…横架材、Ｇ…地盤、ＩＳ…イベントステージ、Ｓ…ステージ、ＴＣ…テニスコート、Ｃ…浮上コート
【図１】
2018178635.tif 000003
【図２】
2018178635.tif 000004
【図３】
2018178635.tif 000005
【図４】
2018178635.tif 000006
【図５】
2018178635.tif 000007
【図６】
2018178635.tif 000008
【図７】
2018178635.tif 000009
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
津波の発生時に避難場所となる避難用構造物であって、
前記避難場所のフロアを構成する基盤部と、
来襲した前記津波により、前記基盤部を浮上させるフロート部と、
前記基盤部の浮上を案内する複数のガイド支柱と、
前記フロート部の下部を収めるピットが形成された基礎と、を備え、
前記ピットの底は、地盤より低いことを特徴とする避難用構造物。
【請求項２】
平常時に特定用途の屋外施設として利用されると共に、津波を含む非常時に避難場所として利用される避難用構造物であって、
前記屋外施設のランドと前記避難場所のフロアとを兼ねる基盤部と、
来襲した前記津波により、前記基盤部を浮上させるフロート部と、
前記基盤部の浮上を案内する複数のガイド支柱と、
前記フロート部の下部を収めるピットが形成された基礎と、を備え、
前記ピットの底は、地盤より低いことを特徴とする避難用構造物。
【請求項３】
前記屋外施設が、屋外型のイベント施設、屋外型のスポーツ施設、屋外型の遊戯施設および屋外型の駐車施設のいずれかであることを特徴とする請求項２に記載の避難用構造物。
【請求項４】
前記基盤部を支持する台座部を、更に備え、
前記フロート部は、前記台座部に組み込まれていることを特徴とする請求項１ないし３のいずれかに記載の避難用構造物。
【請求項５】
前記台座部は、前記複数のガイド支柱に対しスライド自在に係合する複数のガイド係合部を、有することを特徴とする請求項４に記載の避難用構造物。
【請求項６】
前記基盤部および前記台座部のいずれか一方から外方に張り出した波返し部を、更に備えたことを特徴とする請求項４または５に記載の避難用構造物。
【請求項７】
前記基盤部と地盤との間に設けられた複数のスロープを、更に備えたことを特徴とする請求項１ないし６のいずれかに記載の避難用構造物。
【請求項８】
前記基盤部の周縁部に設けられたフェンスを、更に備えたことを特徴とする請求項１ないし７のいずれかに記載の避難用構造物。
【請求項９】
前記フェンスは、前記基盤部に対し出没自在に構成された複数の部分フェンスを有することを特徴とする請求項８に記載の避難用構造物。
【請求項１０】
前記フロート部は、相互に連結された複数の部分フロートを有することを特徴とする請求項１ないし９のいずれかに記載の避難用構造物。
【請求項１１】
前記複数のガイド支柱を上端部で連結する横架材を、更に備えたことを特徴とする請求項１ないし１０のいずれかに記載の避難用構造物。
【手続補正２】
【補正対象書類名】明細書
【補正対象項目名】０００６
【補正方法】変更
【補正の内容】
【０００６】
本発明の避難用構造物は、津波の発生時に避難場所となる避難用構造物であって、避難場所のフロアを構成する基盤部と、来襲した津波により、基盤部を浮上させるフロート部と、基盤部の浮上を案内する複数のガイド支柱と、フロート部の下部を収めるピットが形成された基礎と、を備え、ピットの底は、地盤より低いことを特徴とする。
【手続補正３】
【補正対象書類名】明細書
【補正対象項目名】０００７
【補正方法】変更
【補正の内容】
【０００７】
この構成によれば、津波が来襲すると、フロート部により避難場所となる基盤部が浮上する。このため、基盤部は、津波に高さに応じて上下するだけで水没することがなく、基盤部上の避難者の安全を図ることができる。また、基盤部の浮上が、複数のガイド支柱により案内されるため、浮上した基盤部が津波に乗って流されることがなく、この点でも基盤部上の避難者の安全を図ることができる。さらに、津波に対し基盤部が浮上する構造であるため、避難時の基盤部は低い位置に設けられていればよい。より好ましくは、来襲する津波の初期において波を被らない程度の高さであればよい。このため、基盤部の地盤からの高さを十分に低く抑えることができ、基盤部上への避難が容易であって迅速かつ確実に避難を行うことができる。なお、基盤部がフロート部に直接支持される「筏」様のものであってもよいし、基盤部が台座に支持され、この台座にフロート部が組み込まれたものであってもよい。
【手続補正４】
【補正対象書類名】明細書
【補正対象項目名】０００８
【補正方法】変更
【補正の内容】
【０００８】
本発明の他の避難用構造物は、平常時に特定用途の屋外施設として利用されると共に、津波を含む非常時に避難場所として利用される避難用構造物であって、屋外施設のランドと避難場所のフロアとを兼ねる基盤部と、来襲した津波により、基盤部を浮上させるフロート部と、基盤部の浮上を案内する複数のガイド支柱と、フロート部の下部を収めるピットが形成された基礎と、を備え、ピットの底は、地盤より低いことを特徴とする。
【手続補正５】
【補正対象書類名】明細書
【補正対象項目名】００４１
【補正方法】変更
【補正の内容】
【００４１】
一方、ステージＳの四隅には、台座部１２に支持するようにして、各ガイド支柱１４に対し上下方向にスライド可能に係合する４つのガイド係合部３７が設けられている。各ガイド係合部３７には、ガイド支柱１４を囲繞するスライドリング３８が装着されており、スライドリング３８は、わずかな間隙を存してガイド支柱１４にスライド自在に係合している。また、スライドリング３８は、防振ゴム等から成る防振部材で構成されている。これにより、各ガイド支柱１４との接点となる４つのスライドリング３８は、スライド部材として機能するだけでなく、地震動や津波によるステージＳの横揺れ等を吸収する。また、ステージＳの浮上時にステージＳ（台座部１２）が傾くことがあっても、防振部材で構成されたスライドリング３８は、ガイド支柱１４との間の「かしぎ」を抑制する。
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
平常時に特定用途の屋外施設として利用されると共に、津波を含む非常時に避難場所として利用される避難用構造物であって、
前記屋外施設のランドと前記避難場所のフロアとを兼ねる基盤部と、
来襲した前記津波により、前記基盤部を浮上させるフロート部と、
前記基盤部の浮上を案内する複数のガイド支柱と、
前記フロート部の下部を収めるピットが形成された基礎と、を備え、
前記ピットの底は、地盤より低いことを特徴とする避難用構造物。
【請求項２】
前記屋外施設が、屋外型のイベント施設、屋外型のスポーツ施設、屋外型の遊戯施設および屋外型の駐車施設のいずれかであることを特徴とする請求項１に記載の避難用構造物。
【請求項３】
前記基盤部を支持する台座部を、更に備え、
前記フロート部は、前記台座部に組み込まれていることを特徴とする請求項１または２に記載の避難用構造物。
【請求項４】
前記台座部は、前記複数のガイド支柱に対しスライド自在に係合する複数のガイド係合部を、有することを特徴とする請求項３に記載の避難用構造物。
【請求項５】
前記基盤部および前記台座部のいずれか一方から外方に張り出した波返し部を、更に備えたことを特徴とする請求項３または４に記載の避難用構造物。
【請求項６】
前記基盤部と地盤との間に設けられた複数のスロープを、更に備えたことを特徴とする請求項１ないし５のいずれかに記載の避難用構造物。
【請求項７】
前記基盤部の周縁部に設けられたフェンスを、更に備えたことを特徴とする請求項１ないし６のいずれかに記載の避難用構造物。
【請求項８】
前記フェンスは、前記基盤部に対し出没自在に構成された複数の部分フェンスを有することを特徴とする請求項７に記載の避難用構造物。
【請求項９】
前記フロート部は、相互に連結された複数の部分フロートを有することを特徴とする請求項１ないし８のいずれかに記載の避難用構造物。
【請求項１０】
前記複数のガイド支柱を上端部で連結する横架材を、更に備えたことを特徴とする請求項１ないし９のいずれかに記載の避難用構造物。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】変更
【補正の内容】
【０００９】
この構成によれば、津波が来襲すると、フロート部により避難場所となる基盤部が浮上する。このため、基盤部は、津波に高さに応じて上下するだけで水没することがなく、基盤部上の避難者の安全を図ることができる。また、基盤部の浮上が、複数のガイド支柱により案内されるため、浮上した基盤部が津波に乗って流されることがなく、この点でも基盤部上の避難者の安全を図ることができる。さらに、津波に対し基盤部が浮上する構造であるため、避難時の基盤部は低い位置に設けられていればよい。より好ましくは、来襲する津波の初期において波を被らない程度の高さであればよい。このため、基盤部の地盤からの高さを十分に低く抑えることができ、基盤部上への避難が容易であって迅速かつ確実に避難を行うことができる。なお、基盤部がフロート部に直接支持される「筏」様のものであってもよいし、基盤部が台座に支持され、この台座にフロート部が組み込まれたものであってもよい。
また、津波を含む非常時おいて、避難場所としての機能を十分に果たし、且つ迅速かつ確実に避難を可能とする一方、平常時において、特定用途の施設として利用することができる。したがって、経済的効果が見込み得る施設として機能する避難場所を提供することができる。また、平常時の利用は、経済的効果が見込めるだけでなく、施設の利用そのものが避難訓練の一部ともなる。さらに、施設の日々の管理は、塩害等による老朽化等の抑制にもなる。なお、「屋外施設」の語は、日除け・雨除け等の簡易な屋根を有するもの含む概念である。また、「ランド」は、屋外施設を利用する人が活動するための盤面の総称として用いている。